(57)【要約】【課題】より効率的な除霜を可能にすること。【解決手段】天井部に設けられ、後方から前方に向けて延在し、開口した後端から導入された空気を前面開口内側に設けた吐出口から下方に向けて吐出させるダクト４５と、ダクト４５の内部に設けられ、ダクト４５の内部の空気を冷却する蒸発器４７１と、ダクト４５の後端部に設けられ、ダクト４５に空気を導入するインナファン４６ａおよびミドルファン４６ｂと、床部に設けられ、吐出口と対向するように設けられたリターングリル５０から空気を導入するリターンファン５２と、前面開口外側に設けられ、外部の空気を前面開口外側から下方に向けて吐出させるアウターファン４９６とを備えたピッキング用冷凍冷蔵倉庫において、蒸発器４７１を除霜運転する場合には、インナファン４６ａおよびミドルファン４６ｂを停止するとともに、アウターファン４９６とリターンファン５２とを駆動するようにした。【選択図】図４
2010249413.tif 000002
【特許請求の範囲】
【請求項１】
前面が開口した冷凍冷蔵機器本体と、冷凍冷蔵機器本体の天井部に設けられ、後方から前方に向けて延在し、開口した後端から導入された空気を冷凍冷蔵機器本体の前面開口内側に設けた吐出口から下方に向けて吐出させるダクトと、ダクトの内部に設けられ、ダクトの内部の空気を冷却する蒸発器と、ダクトの後端部に設けられ、ダクトに空気を導入する送気ファンと、冷凍冷蔵機器本体の床部に設けられ、前記吐出口と対向するように設けられたリターングリルから空気を導入するリターンファンと、冷凍冷蔵機器本体の前面開口外側に設けられ、冷凍冷蔵機器本体外部の空気を冷凍冷蔵機器本体の前面開口外側から下方に向けて吐出させるアウターファンとを備えた冷凍冷蔵機器において、
蒸発器を除霜運転させる場合に、前記送気ファンを停止するとともに、前記アウターファンと前記リターンファンとを駆動することを特徴とする冷凍冷蔵機器。
【請求項２】
蒸発器の冷却運転を再開させる場合に、前記蒸発器を氷結温度以下となるまで冷却することを特徴とする請求項１に記載の冷凍冷蔵機器。
【請求項３】
前面が開口した冷凍冷蔵機器本体と、冷凍冷蔵機器本体の天井部に設けられ、後方から前方に向けて延在し、開口した後端から導入された空気を冷凍冷蔵機器本体の前面開口内側から下方に向けて吐出させるダクトと、ダクトの内部に設けられ、インナダクトとミドルダクトとに画成する仕切板と、インナダクトの内部に配設され、インナダクトの内部の空気を冷却する蒸発器と、ダクトの後端部に設けられ、インナダクトに空気を導入するインナファンと、インナファンに並設され、正転駆動した場合にミドルダクトに空気を導入するミドルファンとを備えた冷凍冷蔵機器において、
ダクトの後端に設けられ、蒸発器を冷却運転させる場合にダクトの後端開口を開放するとともにインナダクトとミドルダクトとの間を遮蔽する一方、蒸発器を除霜運転させる場合にインナダクトとミドルダクトとの間を開放するとともにダクトの後端開口を閉塞するダンパを備え、
蒸発器を冷却運転させる場合にダクトの後端開口から少なくともインナダクトに空気を導入するように前記インナファンを駆動する一方、蒸発器を除霜運転させる場合に前記インナファンを停止するとともに、冷凍冷蔵機器本体の前面開口内側からミドルダクトに空気を導入し、インナダクトに空気を送出するように前記ミドルファンを逆転駆動することを特徴とする冷凍冷蔵機器。
【請求項４】
前面が開口した冷凍冷蔵機器本体と、冷凍冷蔵機器本体の天井部に設けられ、後方から前方に向けて延在し、開口した後端から導入された空気を冷凍冷蔵機器本体の前面開口内側から下方に向けて吐出させるダクトと、ダクトの内部に配設され、ダクトの内部の空気を冷却する蒸発器と、ダクトの後端開口に設けられ、ダクトに空気を導入する送風ファンとを備えた冷凍冷蔵機器において、
蒸発器を除霜運転させる場合にダクトの後端部に冷凍冷蔵機器本体の外部から空気を導入する除霜ファンを備えたことを特徴とする冷凍冷蔵機器。
【発明の詳細な説明】
【技術分野】
【０００１】
本発明は、前面開口にエアカーテンが生成される冷凍冷蔵機器に関するものであって、たとえば、前面が開口したオープンショーケース、ピッキング用冷凍冷蔵倉庫等の冷凍冷蔵機器に関するものである。
【背景技術】
【０００２】
ここで説明する冷凍冷蔵機器は、断熱パネルを組み付けて形成された本体内が貯蔵室とされたプレハブ式冷蔵庫であって、貯蔵室の天井部に室内機が設置されている。このプレハブ式冷蔵庫の冷凍回路の基本的構造は、室外機として、圧縮機と、凝縮器ファンを付設した凝縮器とが装備され、室内機として、感温筒付きの温度式膨張弁と、蒸発器とが装備されており、これらが冷媒配管により循環接続されている。また、膨張弁の手前には、ポンプダウン用の電磁弁が備えられているとともに、圧縮機の吐出側（高圧側）と吸込側（低圧側）との間に圧力スイッチが設けられている。
【０００３】
室内機は、下面と後面とが開口された横長の箱状をなす蒸発器ケースを備えており、貯蔵室の天井面に取り付けられている。蒸発器ケースの内部、後面側に寄った位置には、上述した蒸発器が設置されている。また、蒸発器ケースの前面には、幅方向の中央部において窓孔が開口されており、蒸発器の前方には、モータで駆動される２台の冷却ファンが横に並んで装備され、窓孔に臨んでいる。この窓孔には、ファンガードが取り付けられている。ファンガードは、前方に膨出したような横長の方形をなす枠体を備え、この枠体の開口に対して、縦長の棒状をなすガードが所定ピッチで並んで固着された構造であって、窓孔を前面から覆い、左右の側面に形成されたフランジを、窓孔の左右の孔縁にネジで止めることにより、着脱可能に装着されるようになっている。また、蒸発器の下面側に、除霜ヒータが装着され、ファンガードには、ファンガードヒータが装着されている。
【０００４】
上述したプレハブ式冷蔵庫の電磁弁が開放された状態において、圧縮機と冷却ファンとが駆動されると、貯蔵室内の空気が蒸発器の後面側に吸引される。そして、空気は、蒸発器を前方に通過する際に熱交換されて冷却され、蒸発器ケースの窓孔から貯蔵室に吐出される。このように冷却された空気が循環することにより、貯蔵室内が冷却される。
【０００５】
一方、電磁弁を閉じるとともに圧縮機を停止し、併せて、冷却ファンを停止し、除霜ヒータ、ファンガードヒータに通電すると、蒸発器およびファンガードに付着した霜が溶けて、除霜される。除霜によって生じた除霜水は、ドレンパンで受けられた後、排水口からドレンホースによって庫外に導かれる。そして、除霜が終了した後、水切り工程を経て、電磁弁が開放される。その後、待ち時間を経て、圧縮機が駆動され、予冷運転が開始される。
【０００６】
予冷運転は、冷却ファンを停止したまま圧縮機のみが駆動することにより行われ、たとえば、９０秒継続される。この間、蒸発器が冷却され、しかも空気が循環しないことから、庫内空気との熱交換も最小限に抑えられ、蒸発器の温度が急速に低下し、仮に蒸発器に水滴が残っていたとしても、再氷結される。
【０００７】
予冷運転が終了して冷却運転が再開された場合には、初めの所定時間、たとえば、１２０秒間は、ファンモータの回転数を低下させたり、ファンモータを間欠駆動させたりすることにより、冷却ファンを正規よりも抑制した状態で駆動する。これは、蒸発器で冷却された空気が微風状態でファンガードに当てられることによって、ファンガードが次第に冷却され、仮にファンガードに水滴が残っていたとしても、それらはすべて再氷結され、庫内に除霜水が飛散することがないようにするためである（たとえば、特許文献１参照）。
【先行技術文献】
【特許文献】
【０００８】
【特許文献１】特開２００５−１２７６７３号公報
【発明の概要】
【発明が解決しようとする課題】
【０００９】
しかしながら、前面開口にエアカーテンが生成される冷蔵冷凍機器は、より効率的な除霜が求められている。
【００１０】
本発明は、上記に鑑みてなされたものであって、前面開口にエアカーテンが生成される冷凍冷蔵機器において、より効率的な除霜を可能にすることを目的とする。
【課題を解決するための手段】
【００１１】
上述した課題を解決し、目的を達成するために、本発明は、前面が開口した冷凍冷蔵機器本体と、冷凍冷蔵機器本体の天井部に設けられ、後方から前方に向けて延在し、開口した後端から導入された空気を冷凍冷蔵機器本体の前面開口内側に設けた吐出口から下方に向けて吐出させるダクトと、ダクトの内部に設けられ、ダクトの内部の空気を冷却する蒸発器と、ダクトの後端部に設けられ、ダクトに空気を導入する送気ファンと、冷凍冷蔵機器本体の床部に設けられ、前記吐出口と対向するように設けられたリターングリルから空気を導入するリターンファンと、冷凍冷蔵機器本体の前面開口外側に設けられ、冷凍冷蔵機器本体外部の空気を冷凍冷蔵機器本体の前面開口外側から下方に向けて吐出させるアウターファンとを備えた冷凍冷蔵機器において、蒸発器を除霜運転させる場合に、前記送気ファンを停止するとともに、前記アウターファンと前記リターンファンとを駆動することを特徴とする。
【００１２】
また、本発明は、上記冷凍冷蔵機器において、蒸発器の冷却運転を再開させる場合に、前記蒸発器を氷結温度以下となるまで冷却することを特徴とする。
【００１３】
本発明は、前面が開口した冷凍冷蔵機器本体と、冷凍冷蔵機器本体の天井部に設けられ、後方から前方に向けて延在し、開口した後端から導入された空気を冷凍冷蔵機器本体の前面開口内側から下方に向けて吐出させるダクトと、ダクトの内部に設けられ、インナダクトとミドルダクトとに画成する仕切板と、インナダクトの内部に配設され、インナダクトの内部の空気を冷却する蒸発器と、ダクトの後端部に設けられ、インナダクトに空気を導入するインナファンと、インナファンに並設され、正転駆動した場合にミドルダクトに空気を導入するミドルファンとを備えた冷凍冷蔵機器において、ダクトの後端に設けられ、蒸発器を冷却運転させる場合にダクトの後端開口を開放するとともにインナダクトとミドルダクトとの間を遮蔽する一方、蒸発器を除霜運転させる場合にインナダクトとミドルダクトとの間を開放するとともにダクトの後端開口を閉塞するダンパを備え、蒸発器を冷却運転させる場合にダクトの後端開口から少なくともインナダクトに空気を導入するように前記インナファンを駆動する一方、蒸発器を除霜運転させる場合に前記インナファンを停止するとともに、冷凍冷蔵機器本体の前面開口内側からミドルダクトに空気を導入し、インナダクトに空気を送出するように前記ミドルファンを逆転駆動することを特徴とする。
【００１４】
本発明は、前面が開口した冷凍冷蔵機器本体と、冷凍冷蔵機器本体の天井部に設けられ、後方から前方に向けて延在し、開口した後端から導入された空気を冷凍冷蔵機器本体の前面開口内側から下方に向けて吐出させるダクトと、ダクトの内部に配設され、ダクトの内部の空気を冷却する蒸発器と、ダクトの後端開口に設けられ、ダクトに空気を導入する送風ファンとを備えた冷凍冷蔵機器において、蒸発器を除霜運転させる場合にダクトの後端部に冷凍冷蔵機器本体の外部から空気を導入する除霜ファンを備えたことを特徴とする。
【発明の効果】
【００１５】
本発明にかかる冷凍冷蔵機器は、蒸発器を除霜運転させる場合に、送気ファンを停止するとともに、アウターファンとリターンファンを駆動するので、冷凍冷蔵機器の前面開口にエアカーテンが生成され、冷凍冷蔵機器の内部（庫内）への外気の浸入が抑制される。したがって、庫内温度の上昇を抑制でき、効率的に除霜できる。
【００１６】
また、蒸発器の冷却運転を再開させる場合に、蒸発器を氷結温度以下となるまで冷却するので、蒸発器に残った除霜水は氷結され、冷凍冷蔵機器の内部（庫内）に飛散することがない。
【００１７】
本発明にかかる冷凍冷蔵機器は、蒸発器を除霜運転させる場合に、冷凍冷蔵機器本体の前面開口内側からミドルダクトに空気を導入され、インナダクトに空気が送出される。この空気は冷凍冷蔵機器の外部から導入された空気であるから、冷凍冷蔵機器の内部（庫内）からインナダクトに導入される空気よりも温かく、僅かに温めるだけで蒸発器に付着した霜を融解できる。したがって、蒸発器の除霜に用いるヒータの容量を小さなものとすることができ、省エネ効果を得ることができる。さらに、ダクトの後端開口はダンパで閉塞されるので、冷凍冷蔵機器の内部（庫内）とダクトの内部とが遮断され、蒸発器の除霜運転によって、冷凍冷蔵機器の内部（庫内）の温度が上昇することがない。したがって、本発明にかかる冷凍冷蔵機器は、蒸発器を効率的に除霜できる。
【００１８】
本発明にかかる冷凍冷蔵機器は、蒸発器を除霜運転させる場合に冷凍冷蔵機器本体の外部からダクトの後端部に空気が導入される。この空気は、冷凍冷蔵機器の外部から導入された空気であるから、冷凍冷蔵器の内部（庫内）からインナダクトに導入される空気よりも温かく、僅かに温めるだけで蒸発器に付着した霜を融解できる。したがって、蒸発器の融解に用いるヒータの容量を小さなものとすることができ、省エネ効果を得ることができる。したがって、本発明にかかる冷凍冷蔵機器は、蒸発器を効率的に除霜できる。
【図面の簡単な説明】
【００１９】
【図１】図１は、本発明の実施の形態１であるピッキング用冷凍冷蔵倉庫を示す断面図である。
【図２】図２は、除霜運転開始から除霜運転完了までの制御工程を示すフローチャートである。
【図３】図３は、除霜復帰後のファンの駆動状態を示すピッキング用冷凍冷蔵倉庫を断面模式図である。
【図４】図４は、着氷後のファンの駆動状態を示すピッキング用冷凍冷蔵倉庫の断面模式図である。
【図５】図５は、本発明の実施の形態２であるピッキング用冷凍冷蔵倉庫を示す断面図である。
【図６】図６は、冷却運転状態を示す要部断面模式図である。
【図７】図７は、除霜運転状態を示す要部断面模式図である。
【図８】図８は、本発明の実施の形態３であるピッキング用冷凍冷蔵倉庫の冷却運転状態を示す断面図である。
【図９】図９は、本発明の実施の形態３であるピッキング用冷蔵冷凍倉庫の除霜運転状態を示す断面図である。
【発明を実施するための形態】
【００２０】
以下に、本発明にかかる冷凍冷蔵機器の実施の形態を図面に基づいて詳細に説明する。なお、この実施の形態によりこの発明が限定されるものではない。
【００２１】
ここでは、ピッキング用冷凍冷蔵倉庫を例に説明するが、ピッキング用冷凍冷蔵倉庫に限られるものではなく、前面開口にエアカーテンが生成されるものであればよく、たとえば、前面開口にエアカーテンが生成されるオープンショーケースにも適用可能である。
【００２２】
（実施の形態１）
図１に示すように、本発明の実施の形態にかかるピッキング用冷凍冷蔵倉庫２は、オペレータによって取り出される商品が陳列された状態で収納される倉庫であって、配送センタの建屋の内部に構築されている。ピッキング用冷凍冷蔵倉庫２は、プレハブ倉庫であって、プレハブ断熱材で構成されている。このピッキング用冷凍冷蔵倉庫２は、前方領域を収納陳列領域４とし、後方領域を収容搬送領域６としている。収納陳列領域（前方領域）４は、床から天井までの高さが２メートル５０センチメートル程度であり、前面が開口し、商品を陳列する陳列・ピッキング部（棚装置）４１の設置を可能にしている。収容搬送領域（後方領域）６は、大型の設備機械（たとえば、後述する商品投入搬送装置）の設置を可能にしている。
【００２３】
収納陳列領域４には、複数台の陳列・ピッキング部（棚装置）４１が横並びとなるように設置してある。陳列・ピッキング部４１は、商品を保管するピッキング用棚装置であって、前面及び後面が開口している。
【００２４】
陳列・ピッキング部４１には、上下方向に複数段（本実施の形態の陳列・ピッキング部４１は、四段）の傾斜流動棚４２が架設してある。傾斜流動棚４２は、後方から前方に向けて漸次低くなるように傾斜する態様で架設してあり、後方から投入された商品は、傾斜流動棚４２の上面を転動又は滑走することにより、前方に搬送され、前方から後方に向けて順次収納されるようになっている。
【００２５】
傾斜流動棚４２は、複数種類（本実施の形態の傾斜流動棚は６種類）の商品が収納可能であって、その前縁には、商品種類に対応するように、ＬＥＤ表示パネル４３が配設してある。
【００２６】
たとえば、本実施の形態の一の傾斜流動棚４２は、６種類の商品が保管可能であるから、一の傾斜流動棚４２を６等分し、それぞれの前縁にＬＥＤ表示パネル４３が配設してある。したがって、本実施の形態の陳列・ピッキング部４１は、２４個のＬＥＤ表示パネル４３が配設してある。
【００２７】
ＬＥＤ表示パネル４３は、後方から投入された商品を受け止め、商品を整列させるとともに、取り出す商品が保管されている収納位置を明示するものである。すなわち、ＬＥＤ表示パネル４３は、フェンスとして機能するとともに、ピッキング指示パネルとしても機能するようになっている。
【００２８】
また、最上段となる傾斜流動棚４２の上方となる収納陳列領域４の天井には、後方から前方に向けて延在するダクト４５が配設してある。ダクト４５は、ピッキング用冷凍冷蔵倉庫２の前面開口に低温のエアカーテンを生成するためのものであり、後端が開口している。ダクト４５の内部は、仕切板４５ａによって、上下に仕切られ、下側がインナダクト４７を構成し、上側がミドルダクト４８を構成するようになっている。
【００２９】
ダクト４５の後端開口には、インナファン（送風ファン）４６ａとミドルファン４６ｂとが交互に横並びとなるように配設してあり、インナファン４６ａがインナダクト４７に空気を導入し、ミドルファン４６ｂがミドルダクト４８に空気を導入するようになっている。
【００３０】
インナダクト４７は、導入された空気を冷却し、ピッキング用冷凍冷蔵倉庫２の前面開口内側に低温（たとえば、摂氏−３０度）のエアカーテンを生成するためのもので、インナダクト４７の内部には、蒸発器（エボパレータ）４７１が設置してあり、ダクト４５の後端開口から導入された空気は、蒸発器４７１の周囲を通過する際に摂氏−３０度程度まで冷却されるようになっている。
【００３１】
そして、インナダクト４７の内部であって、蒸発器４７１とインナファン４６ａとの間には、温度膨張弁４４が配設してある。温度膨張弁４４は、ピッキング用冷凍冷蔵倉庫２の外部に設けられた冷凍機（図示せず）から供給された冷媒の圧力を減圧するもので、入口には冷凍機に繋がる配管が接続してあり、出口には蒸発器４７１の入口に繋がる配管が接続してある。
【００３２】
また、蒸発器４７１の下部には、ヒータ（図示せず）が設置してある。ヒータは、蒸発器に付着した霜を融解させるためのもので、冷却運転する場合に停止し、除霜運転する場合に駆動（通電）するようになっている。
【００３３】
ミドルダクト４８は、導入された空気をピッキング用冷凍冷蔵倉庫２の前面開口内側であって、インナダクト４７が生成するエアカーテンよりも外側に低温（たとえば、摂氏−２５度）のエアカーテンを生成するようになっている。
【００３４】
インナダクト４７を画成するダクト４５の前端部下縁には、下方に延在するインナノズル４７２が取り付けてあり、インナダクト４７とミドルダクト４８を仕切る仕切板４５ａから下方に延びる仕切板４５ｂの下面には、下方に延在するミドルノズル４８１が取り付けてある。そして、インナノズル４７２とミドルノズル４８１とは、ピッキング用冷凍冷蔵倉庫２の前面開口内側において、下方に向かって開口し、インナダクト４７に連通するインナダクト吐出口を構成している。
【００３５】
インナノズル４７２とミドルノズル４８１との間には、ハニカム（整流体）４７７が取り付けてある。そして、インナダクト４７から供給され、ハニカム（整流体）４７７を通過した空気は整流され、下方に向かって流れるようになっている。
【００３６】
ミドルダクト４８を画成するピッキング用冷凍冷蔵倉庫２の前面開口下面から下方に向かって延びる壁体４５ｃの下面には、下方に延在するアウターノズル４９１が取り付けてある。そして、ミドルノズル４８１とアウターノズル４９１とは、ピッキング用冷凍冷蔵倉庫２の前面開口内側において、下方に向かって開口し、ミドルダクト４８に連通するミドルダクト吐出口を構成している。
【００３７】
ミドルノズル４８１とアウターノズル４９１との間には、ハニカム（整流体）４８９が取り付けてある。そして、ミドルダクト４８から供給され、ハニカム（整流体）４８９を通過した空気は整流され、下方に向かって流れるようになっている。
【００３８】
また、収納陳列領域４の天井前縁には、奥方から前方に延在した後に下方に延在するアウターダクト４９が配設してある。アウターダクト４９は、ピッキング用冷凍冷蔵倉庫２の前面開口外側に室温のエアカーテンを生成するものであり、奥方上面が開口している。この奥方上面開口には、アウターファン（送風ファン）４９６が配設してある。このアウターファン４９６は、駆動させると配送センタの建屋（ピッキング用冷凍冷蔵倉庫の天井裏）から空気を導入するようになっている。
【００３９】
そして、アウターノズル４９１とアウターダクト４９とは、ピッキング用冷凍冷蔵倉庫２の前面開口外側において、下方に向かって開口し、アウターダクト吐出口４９７を構成している。
【００４０】
そして、アウターノズル４９１とアウターダクト４９との間には、ハニカム（整流体）４９８が取り付けてある。そして、アウターダクト４９から供給され、ハニカム（整流対）４９８を通過した空気は、整流され、下方に向かって流れるようになっている。
【００４１】
最下段となる傾斜流動棚４２の前方にリターングリル（開口）５０が形成されるように、フロントパネル５１が床に立設してある。リターングリル５０は、インナダクト４７の前端開口及びミドルダクト４８の前端開口と対向するように形成され、インナダクト４７の前端開口及びミドルダクト４８の前端開口から供給され、ピッキング用冷凍冷蔵倉庫２の前面開口にエアカーテンを生成した空気を回収するようになっている。
【００４２】
また、最下段となる傾斜流動棚４２の下方には、リターンファン５２が傾斜する態様で取り付けてあり、リターングリル５０から回収された空気を収納陳列領域４から収容搬送領域６に送出するようになっている。
【００４３】
収容搬送領域６の床には、前方から後方に延在するダクト（図示せず）が配設してある。ダクトは、リターングリル５０から回収された空気を収容搬送領域６に循環させるためのものであり、前端が最下段となる傾斜流動棚４２と収納陳列領域４の床との間に形成された開口に対向し、開口している。また、後端は、ピッキング用冷凍冷蔵庫の奥壁近傍まで延在し、開口している。また、ダクトの出口近傍となる内部には、循環ファンが配設してある。循環ファンは、最下段となる傾斜流動棚４２と収納陳列領域４との間から送出された空気を吸い込み、奥壁に沿って循環させるようになっている。
【００４４】
収容搬送領域６の天井には、複数台（本実施の形態では３台）のクーリングコイル（冷却装置）（図示せず）が据え付けてある。クーリングコイルは、供給された空気を冷却して、送出するものであり、上述した傾斜流動棚４２に均等に冷却した空気を送出するように、均等に配設してある。クーリングコイルは、空気が通過する際に摂氏−２５度程度まで冷却されるようになっている。また、クーリングコイルの空気送出能力は、ダクト４５に配設したインナファン４６ａやミドルファン４６ｂの数倍の能力を有している。
【００４５】
アウターダクト４９の下方端外側には、ナイトカバー７１と照明装置７２とが並設してある。ナイトカバー７１は、ロールスクリーンのように、巻き上げることにより収納可能なカバーであって、冷凍冷蔵ピッキングシステム稼働中に収納し、稼働を停止した場合に降ろすことにより、ピッキング用冷凍冷蔵倉庫２の前面開口を塞ぐことができるようになっている。照明装置７２は、たとえば、蛍光灯であって、冷凍冷蔵ピッキングシステム稼働中は点灯し、稼働を停止した場合に消灯することができるようになっている。
【００４６】
これら、ナイトカバー７１と照明装置７２とは、傘体７３によって覆われている。傘体７３の前面には、照明装置７２を点灯あるいは消灯させるスイッチ（図示せず）が設けてある。このスイッチは、アウターファン４９６と連動しており、照明装置７２を点灯させた場合にアウターファン４９６が駆動され、照明装置７２を消灯させた場合にアウターファン４９６を停止させるようになっている。
【００４７】
また、このスイッチは、ピッキング用冷凍冷蔵倉庫２の内部温度を調節する温度調節装置に指示信号を与えるようになっている。たとえば、照明装置７２を点灯した場合に設定温度を摂氏−１８度にするように指示し、照明装置７２を消灯した場合に設定温度を摂氏−１５度にするように指示するようになっている。
【００４８】
上述した本発明の実施の形態にかかるピッキング用冷凍冷蔵倉庫２において、図２に示すように、蒸発器４７１を冷却運転する場合には、冷凍機から温度膨張弁４４に冷媒を供給した状態で、インナファン４６ａ、ミドルファン４６ｂ、リターンファン５２、アウターファン４９６が設定された通常風量となるように駆動する（ステップＳ１）。すると、図３に示すように、インナファン４６ａの駆動によってインナダクト４７に導入された空気は、蒸発器４７１の周囲を通過する際に摂氏−３０度程度まで冷却され、ハニカム４７７からリターングリル５０に向けて流れることにより、ピッキング用冷凍冷蔵倉庫２の前面開口内側に摂氏−３０度程度のエアカーテンを生成する。一方、ミドルファン４６ｂの駆動によってミドルダクト４８に導入された空気は、ハニカム４８９からリターングリル５０に向けて流れることにより、インナダクト４７が生成するエアカーテンよりも外側にエアカーテンを生成する。他方、アウターファン４９６の正転駆動によって、配送センタの建屋からアウターダクト４９に導入された空気は、上述したエアカーテンに沿って流れ、エアカーテンを生成する空気の乱れを抑制する。
【００４９】
そして、リターングリル５０から回収された空気は、リターンファン５２及び循環ファンによって、奥方に送出され、奥壁に沿って循環する。そして、奥壁に沿って循環した空気は、クーリングコイルに供給される。クーリングコイルの周囲を通過した空気は、摂氏−２５度程度まで冷却され、収納陳列領域（前方領域）４と収容搬送領域（後方領域）６との間に設けられた垂直な壁体（段差）に向けて送出される。送出された空気は、収納陳列領域（前方領域）４と収容搬送領域（後方領域）６との間に設けられた垂直な壁体（段差）に衝突することにより拡散され、クーリングコイルからインナファン４６ａ、ミドルファン４６ｂに直接空気を送出する場合よりも、空気の流速が遅くなり、インナファン４６ａ、ミドルファン４６ｂに空気が均等に供給される。このように循環され、クーリングコイル、蒸発器４７１によって冷却された空気は、ピッキング用冷凍冷蔵倉庫２の内部を冷却する。
【００５０】
また、本発明の実施の形態にかかるピッキング用冷凍冷蔵倉庫２には、商品搬入コンベアによって、外部から商品が搬入される。ピッキング用冷凍冷蔵倉庫２に搬入された商品は、商品一時保管棚に一時保管され、あるいは、商品投入搬送装置によって、陳列・ピッキング部４１の傾斜流動棚４２に投入される。なお、商品一時保管棚に一時保管された商品も順番がきたら商品投入搬送装置によって、陳列・ピッキング部４１の傾斜流動棚４２に順次投入される。
【００５１】
また、本発明の実施の形態にかかるピッキング用冷凍冷蔵倉庫２は、管理装置によって制御され、取り出す商品が保管されている保管位置のＬＥＤ表示パネル４３が点灯される。すると、オペレータは、点灯したＬＥＤ表示パネル４３が示す保管位置が受け持つ棚であるか否かを識別し、自らが受け持つ棚であると識別した場合には、点灯したＬＥＤ表示パネル４３が示す保管位置から商品を取り出すことになる。
【００５２】
上述した本発明の実施の形態にかかるピッキング用冷凍冷蔵倉庫２は、稼働を停止した場合に、ナイトカバー７１を降ろせば、ピッキング用冷凍冷蔵倉庫２の前面開口が塞がれる。つづいて、傘体７３の前面に設けてあるスイッチを操作して照明装置７２を消灯すれば、アウターファン４９６を停止するとともに、設定温度を摂氏−１５度にするように温度調節装置に指示を与える。
【００５３】
本発明の実施の形態にかかるピッキング用冷凍冷蔵倉庫において、蒸発器４７１を除霜運転する場合には（ステップＳ２：Ｙｅｓ）、冷凍機から温度膨張弁４４への冷媒の供給を停止した状態で、ヒータを駆動するとともに、図２に示すように、インナファン４６ａ、ミドルファン４６ｂを停止するとともに（ステップＳ３、ステップＳ４）、アウターファン４９６が通常風量から最大風量となるように制御する（ステップＳ５）（リターンファンは通常どおり駆動する）。すると、ヒータによって温められた空気が蒸発器４７１に付着した霜を融解させる（除霜）。融解によって生じた除霜水は、ドレンパン（図示せず）で受けられた後、排水口からドレンホース（図示せず）によって外部に排出される。一方、アウターファン４９６が最大風量となるように駆動することによって、配送センタの建屋からアウターダクトに導入された空気は、図４に示すように、ピッキング用冷凍冷蔵倉庫２の前面開口を覆うエアカーテンを生成し、外気の収納陳列領域（前方領域）への浸入を抑制する。
【００５４】
そして、除霜水が外部に排出されると、ヒータを停止するとともに、冷凍機から温度膨張弁４４への冷媒の供給を開始する。すると、蒸発器は氷結温度まで下がり、蒸発器の周りに残った除霜水は氷結され、飛散することはない。
【００５５】
そして、このように蒸発器の周りに残った除霜水が氷結されると除霜完了となり（ステップＳ６：Ｙｅｓ）、インナファン４６ａ、ミドルファン４６ｂが通常風量となるように駆動し（ステップＳ７、ステップＳ８）、アウターファン４９６が最大風量から通常風量となるように制御する（ステップＳ９）。なお、除霜が完了するまでは（ステップＳ６：Ｎｏ）、現状を維持する（ステップＳ１０）。
【００５６】
（実施の形態２）
本発明の実施の形態にかかるピッキング用冷凍冷蔵倉庫は、蒸発器の冷却運転時にダクトに流れる空気の流れを蒸発器の除霜運転時に変更するものであって、本発明の実施の形態にかかるピッキング用冷凍冷蔵倉庫は、上述した実施の形態１にかかるピッキング用冷凍冷蔵倉庫とダクトへ空気を導入する部位の構成を除いて異なるところはない。以下に、本発明の実施の形態にかかるピッキング用冷凍冷蔵倉庫のダクトへ空気を導入する部位の構成について説明し、同一の構成については同一の符号を付して説明を省略する。
【００５７】
図５に示すように、本発明の実施の形態にかかるピッキング用冷凍冷蔵倉庫に配設されたダクト４５の内部は、上述した仕切板４５ａと、仕切板４５ａから延在する仕切板１４５ａによって、上下に仕切られ、下側がインナダクト１４７を構成し、上側がミドルダクト１４８を構成するようになっている。
【００５８】
また、ダクト４５の後端、高さ方向略中央には、ダンパ１４５ｂが回動可能に支承されている。ダンパ１４５ｂは、ダクト４５の後端開口を開放するとともに、仕切板１４５ａと連続することにより、インナダクト１４７とミドルダクト１４８との間を遮蔽する開放位置（図６参照）と、インナダクト１４７とミドルダクト１４８との間を開放するとともに、ダクト４５の後端開口を閉塞する閉塞位置（図７参照）とに切り換えられるようになっている。
【００５９】
ダクト４５の後端部下側には、インナファン１４６ａが配設してある。インナファン１４６ａは、ダンパ１４５ｂが開放位置に位置する場合に正転駆動すると、陳列・ピッキング部４１の奥方、すなわち、ピッキング用冷凍冷蔵倉庫２の収容搬送領域６からインナダクト１４７に空気を導入するようになっている。
【００６０】
ミドルダクト１４８の後端部には、ミドルファン１４６ｂが配設してある。ミドルファン１４６ｂは、ダンパ１４５ｂが開放位置に位置する場合に正転駆動すると、陳列・ピッキング部４１の奥方、すなわち、ピッキング用冷凍冷蔵倉庫２の収容搬送領域６からインナダクト１４７に空気を導入する一方、ダンパ１４５ｂが閉塞位置に位置する場合に逆転駆動すると、ハニカム４８９からミドルダクト１４８に空気を導入するとともに、インナダクト１４７に空気を送出するようになっている。
【００６１】
上述した本発明の実施の形態にかかるピッキング用冷凍冷蔵倉庫２において、蒸発器４７１を冷却運転する場合には、冷凍機から温度膨張弁４４に冷媒を供給した状態で、図６に示すように、ダンパ１４５ｂを開放位置に移動させ、インナファン１４６ａ、ミドルファン１４６ｂ、リターンファン５２、アウターファン４９６を正転駆動する。インナファン１４６ａの正転駆動によってインナダクト１４７に導入された空気は、蒸発器４７１の周囲を通過する際に摂氏−３０度程度まで冷却され、ハニカム４７７からリターングリル５０に向けて流れることにより、ピッキング用冷凍冷蔵倉庫２の前面開口内側に摂氏−３０度程度のエアカーテンを生成する。一方、ミドルファン１４６ｂの正転駆動によってミドルダクト１４８に導入された空気は、ハニカム４８９からリターングリル５０に向けて流れることにより、インナダクト４７が生成するエアカーテンよりも外側にエアカーテンを生成する。他方、アウターファン４９６の正転駆動によって、配送センタの建屋からアウターダクト４９に導入された空気は、上述したエアカーテンに沿って流れ、エアカーテンを生成する空気の乱れを抑制する。
【００６２】
本発明の実施の形態にかかるピッキング用冷凍冷蔵倉庫２において、蒸発器４７１を除霜運転する場合には、冷凍機から温度膨張弁４４への冷媒の供給を停止した状態で、ヒータを駆動するとともに、図７に示すように、ダンパ１４５ｂを開放位置に移動させ、ミドルファン１４６ｂを逆転駆動し、アウターファン４９６を正転駆動する。ミドルファン１４６ｂの逆転駆動によってハニカム４８９からミドルダクト１４８を経て、インナダクト１４７に空気が導入され、ヒータによって温められた空気が蒸発器４７１に付着した霜を融解させる（除霜）。融解によって生じた除霜水は、ドレンパン（図示せず）で受けられた後、排水口からドレンホース（図示せず）によって外部に排出される。一方、アウターファン４９６の正転駆動によって、配送センタの建屋からアウターダクト４９に導入された空気は、ピッキング用冷凍冷蔵倉庫２の前面開口を覆うエアカーテンを生成し、外気の収納陳列領域（前方領域）への浸入を抑制する。
【００６３】
上述した実施の形態２にかかるピッキング用冷凍冷蔵倉庫２は、蒸発器４７１を除霜運転させる場合に、ダンパ１４５ｂを開放位置に移動させ、ミドルファン１４６ｂを逆転駆動することにより、ハニカム４８９からミドルダクト１４８に空気が導入され、インナダクト１４７に空気が送出される。この空気は、ピッキング用冷凍冷蔵倉庫２の外部から導入された空気であるから、ピッキング用冷凍冷蔵倉庫２の収容搬送領域６からインナダクト１４７に導入される空気よりも温かく、僅か温めるだけで蒸発器４７１に付着した霜を融解できる。したがって、ヒータの容量を小さなものとすることができ、省エネ効果を得ることができる。また、蒸発器４７１の除霜運転時にインナファン１４６ａを停止させるので、これによっても省エネ効果を得ることができる。さらに、ダクト４５の後端開口は、ダンパ１４５ｂで閉塞されるので、収容搬送領域６とダクト４５の内部とが遮断され、蒸発器４７１の除霜運転によって収容搬送領域６の温度が上昇することがない。
【００６４】
（実施の形態３）
本発明の実施の形態にかかるピッキング用冷凍冷蔵倉庫は、冷却運転時にダクトに導入される空気と、除霜運転時にダクトに導入される空気とを切り換えるものであって、本発明の実施の形態にかかるピッキング用冷凍冷蔵倉庫は、上述した実施の形態１にかかるピッキング用冷凍冷蔵倉庫とダクトへ空気を導入する部位の構成を除いて異なるところはない。以下に、本発明の実施の形態にかかるピッキング用冷凍冷蔵庫のダクトへ空気を導入する部位の構成について説明し、同一の構成については同一の符号を付して説明を省略する。
【００６５】
図８に示すように、本発明の実施の形態にかかるピッキング用冷凍冷蔵倉庫２に配設されたダクト４５の後端部上面には、除霜ファン（送風ファン）２４５が配設してある。この除霜ファン２４５は、駆動すると配送センタの建屋（ピッキング用冷凍冷蔵倉庫の天井裏）からインナダクト４７に空気を導入するようになっている。
【００６６】
上述した本発明の実施の形態にかかるピッキング用冷凍冷蔵倉庫２において、蒸発器４７１を冷却運転する場合には、冷凍機から温度膨張弁４４に冷媒を供給した状態で、インナファン４６ａ、ミドルファン４６ｂ、リターンファン５２、アウターファン４９６を駆動する。インナファン４６ａに供給された空気はインナダクト４７に導入され、ミドルファン４６ｂに供給された空気はミドルダクト４８に導入される。インナダクト４７に導入された空気は、蒸発器４７１の周囲を通過する際に摂氏−３０度程度まで冷却され、ハニカム４７７からリターングリル５０に向けて流れることにより、ピッキング用冷凍冷蔵倉庫２の前面開口内側に摂氏−３０度程度のエアカーテンを生成する。一方、ミドルダクト４８に導入された空気は、ハニカム４８９からリターングリル５０に向けて流れることにより、インナダクト４７が生成するエアカーテンよりも外側に摂氏−２５度程度のエアカーテンを生成する。他方、アウターファン４９６の駆動によって、配送センタの建屋から導入された空気は、上述したエアカーテンに沿って流れ、エアカーテンを生成する空気の乱れを抑制する。
【００６７】
本発明の実施の形態にかかるピッキング用冷凍冷蔵倉庫２において、蒸発器４７１を除霜運転する場合には、冷凍機から温度膨張弁への冷媒の供給を停止した状態で、ヒータを駆動するとともに、図９に示すように、除霜ファン２４５、アウターファン４９６を駆動する。除霜ファン２４５の駆動によって、配送センタの建屋からインナダクト４７に空気が導入される。インナダクト４７に分配された空気は、ヒータによって温められ、蒸発器４７１に付着した霜を融解させる（除霜）。融解によって生じた除霜水は、ドレンパン（図示せず）で受けられた後、排水口からドレンホース（図示せず）によって外部に排出される。一方、アウターファン４９６の駆動によって、配送センタの建屋からアウターダクト４９に導入された空気は、ピッキング用冷凍冷蔵倉庫２の前面開口を覆うエアカーテンを生成し、外気の収納陳列領域（前方領域）への浸入を抑制する。
【００６８】
上述した実施の形態３にかかるピッキング用冷凍冷蔵倉庫２は、蒸発器４７１を除霜運転させる場合に、除霜ファン２４５を駆動することにより、配送センタの建屋からインナダクト４７に空気が導入される。この空気は、ピッキング用冷凍冷蔵倉庫２の外部から導入された空気であるから、ピッキング用冷凍冷蔵倉庫２の収容搬送領域６からインナダクト１４７に導入される空気よりも温かく、僅か温めるだけで蒸発器４７１に付着した霜を融解できる。したがって、ヒータの容量を小さなものとすることができ、省エネ効果を得ることができる。
【符号の説明】
【００６９】
２    ピッキング用冷凍冷蔵倉庫
４    収納陳列領域
４１    陳列・ピッキング部
４２    傾斜流動棚
４３    表示パネル
４４    温度膨張弁
４５    ダクト
４５ａ    仕切板
４５ｂ    仕切板
４５ｃ    壁体
４６ａ    インナファン（送風ファン）
４６ｂ    ミドルファン（送風ファン）
４７    インナダクト
４７１    蒸発器
４７２    インナノズル
４７７    ハニカム
４８    ミドルダクト
４８１    ミドルノズル
４８９    ハニカム
４９    アウターダクト
４９１    アウターノズル
４９６    アウターファン
４９７    アウターダクト吐出口
５０    リターングリル
５１    フロントパネル
５２    リターンファン
６    収容搬送領域
７１    ナイトカバー
７２    照明装置
７３    傘体
１４５ａ    仕切板
１４５ｂ    ダンパ
１４６ａ    インナファン
１４６ｂ    ミドルファン
１４７    インナダクト
１４８    ミドルダクト
２４５    除霜ファン
【図１】
2010249413.tif 000003
【図２】
2010249413.tif 000004
【図３】
2010249413.tif 000005
【図４】
2010249413.tif 000006
【図５】
2010249413.tif 000007
【図６】
2010249413.tif 000008
【図７】
2010249413.tif 000009
【図８】
2010249413.tif 000010
【図９】
2010249413.tif 000011